【手続補正書】
【提出日】平成29年5月23日(2017.5.23)
【手続補正１】
【補正対象書類名】明細書
【補正対象項目名】０００９
【補正方法】変更
【補正の内容】
【０００９】
１つの態様に係るシートは、規定の温度以上に加熱されることによって膨張するシートであって、前記シートの厚さ方向に突出する少なくとも１つの凸部を備え、前記少なくとも１つの凸部は、前記シートの種別に固有の第１情報を含む被特定情報に対応する情報特定要素を構成するべく吸収した熱量に応じて膨張してなる。
【手続補正２】
【補正対象書類名】明細書
【補正対象項目名】００１０
【補正方法】変更
【補正の内容】
【００１０】
別の１つの態様に係る情報読み出し装置は、規定の温度以上に加熱されることによって膨張するシートから情報を読み出す情報読み出し装置であって、前記シートは、吸収した熱量に応じて膨張してなる厚さ方向に突出する少なくとも１つの凸部を備え、前記少なくとも１つの凸部は、前記シートの種別に固有の第１情報を含む被特定情報に対応する情報特定要素を構成し、前記情報読み出し装置は、読み取り装置により読み取られた前記情報特定要素を取得する読み取り結果取得部と、前記情報特定要素と前記被特定情報との対応関係情報を取得する対応関係情報取得部と、前記対応関係情報取得部が取得した前記対応関係情報に基づいて、前記読み取り結果取得部が取得した前記情報特定要素から、該情報特定要素に対応する前記被特定情報を決定する被特定情報決定部と、を備える。
【手続補正３】
【補正対象書類名】明細書
【補正対象項目名】００１１
【補正方法】変更
【補正の内容】
【００１１】
別の１つの態様に係る情報読み出し方法は、規定の温度以上に加熱されることによって膨張するシートから情報を読み出す装置が実行する情報読み出し方法であって、前記シートは、吸収した熱量に応じて膨張してなる厚さ方向に突出する少なくとも１つの凸部を備え、前記少なくとも１つの凸部は、前記シートの種別に固有の第１情報を含む被特定情報に対応する情報特定要素を構成し、読み取り装置により読み取られた前記情報特定要素を取得する工程と、前記情報特定要素と前記被特定情報との対応関係情報を取得する工程と、前記取得した対応関係情報に基づいて、前記取得した前記情報特定要素から、該情報特定要素に対応する前記被特定情報を決定する工程と、を含む。
【手続補正４】
【補正対象書類名】明細書
【補正対象項目名】００１２
【補正方法】変更
【補正の内容】
【００１２】
別の１つの態様に係るプログラムは、規定の温度以上に加熱されることによって膨張するシートからの情報の読み出しをコンピュータに実行させるプログラムであって、前記シートは、吸収した熱量に応じて膨張してなる厚さ方向に突出する少なくとも１つの凸部を備え、前記少なくとも１つの凸部は、前記シートの種別に固有の第１情報を含む被特定情報に対応する情報特定要素を構成し、読み取り装置により読み取られた前記情報特定要素を取得する処理と、前記情報特定要素と前記被特定情報との対応関係情報を取得する処理と、前記取得した対応関係情報に基づいて、前記取得した前記情報特定要素から、該情報特定要素に対応する前記被特定情報を決定する処理と、を前記コンピュータに実行させる。
【手続補正５】
【補正対象書類名】特許請求の範囲
【補正対象項目名】全文
【補正方法】変更
【補正の内容】
【特許請求の範囲】
【請求項１】
規定の温度以上に加熱されることによって膨張するシートであって、
前記シートの厚さ方向に突出する少なくとも１つの凸部を備え、
前記少なくとも１つの凸部は、前記シートの種別に固有の第１情報を含む被特定情報に対応する情報特定要素を構成するべく吸収した熱量に応じて膨張してなる、
ことを特徴とするシート。
【請求項２】
前記被特定情報は、前記シートの前記種別とは独立して前記シートに対応付けられた第２情報を更に含むことを特徴とする請求項１記載のシート。
【請求項３】
前記シートは、視認可能な図案が施された図案領域を更に有し、
前記少なくとも１つの凸部は、前記図案領域に重ならない領域に設けられている、
ことを特徴とする請求項１又は２記載のシート。
【請求項４】
前記少なくとも１つの凸部は、前記シートの周縁領域に設けられていることを特徴とする請求項１から３のいずれか１項記載のシート。
【請求項５】
前記少なくとも１つの凸部は、突出高さが互いに異なる２つの凸部を含むことを特徴とする請求項１から４のいずれか１項記載のシート。
【請求項６】
前記少なくとも１つの凸部は、前記シートの前記厚さ方向に沿って平面視したときの大きさが互いに異なる２つの凸部を含むことを特徴とする請求項１から５のいずれか１項記載のシート。
【請求項７】
前記情報特定要素は、前記凸部が形成される複数の凸部形成領域における前記少なくとも１つの凸部の有無、前記厚さ方向に沿って平面視したときの前記複数の凸部形成領域の配列形状又は配列サイズ、前記複数の凸部形成領域における前記少なくとも１つの凸部の突出高さ、及び、前記複数の凸部形成領域における前記少なくとも１つの凸部の前記平面視したときの大きさ、のうちの少なくとも１つを含む、
ことを特徴とする請求項１から６のいずれか１項記載のシート。
【請求項８】
前記シートは、周縁端部に複数の目打ちが形成されることで、前記周縁端部から前記シートと平行な方向に突出する突出部が連続的に設けられた目打ち部を有し、
前記凸部が形成される複数の凸部形成領域のそれぞれは、前記複数の目打ちのそれぞれと対応する領域に設けられる、
ことを特徴とする請求項１から７のいずれか１項記載のシート。
【請求項９】
規定の温度以上に加熱されることによって膨張するシートから情報を読み出す情報読み出し装置であって、
前記シートは、吸収した熱量に応じて膨張してなる厚さ方向に突出する少なくとも１つの凸部を備え、
前記少なくとも１つの凸部は、前記シートの種別に固有の第１情報を含む被特定情報に対応する情報特定要素を構成し、
前記情報読み出し装置は、
読み取り装置により読み取られた前記情報特定要素を取得する読み取り結果取得部と、
前記情報特定要素と前記被特定情報との対応関係情報を取得する対応関係情報取得部と、
前記対応関係情報取得部が取得した前記対応関係情報に基づいて、前記読み取り結果取得部が取得した前記情報特定要素から、該情報特定要素に対応する前記被特定情報を決定する被特定情報決定部と、
を備えることを特徴とする情報読み出し装置。
【請求項１０】
前記被特定情報は、前記シートの前記種別とは独立して前記シートに対応付けられた第２情報を更に含み、
前記シートは、切手であり、
前記第１情報は、前記切手の額面及び発行国のうちの少なくとも一方を特定する情報を含み、
前記第２情報は、前記切手が貼られた配送物の種別、前記切手が貼られる配送物の種別、前記配送物の発信元、及び、前記配送物の受信元、のうちの少なくとも１つを特定する情報を含む、
ことを特徴とする請求項９記載の情報読み出し装置。
【請求項１１】
前記情報特定要素は、前記凸部が形成される複数の凸部形成領域における前記少なくとも１つの凸部の有無、前記厚さ方向に沿って平面視したときの前記複数の凸部形成領域の配列形状又は配列サイズ、前記複数の凸部形成領域における前記少なくとも１つの凸部の突出高さ、及び、前記複数の凸部形成領域における前記少なくとも１つの凸部の前記平面視したときの大きさ、のうちの少なくとも１つを含む、
ことを特徴とする請求項９又は１０記載の情報読み出し装置。
【請求項１２】
前記シートは、周縁端部に複数の目打ちが形成されることで、前記周縁端部から前記シートと平行な方向に突出する突出部が連続的に設けられた目打ち部を有し、
前記凸部が形成される複数の凸部形成領域のそれぞれは、前記複数の目打ちのそれぞれと対応する領域に設けられる、
ことを特徴とする請求項９から１１のいずれか１項記載の情報読み出し装置。
【請求項１３】
規定の温度以上に加熱されることによって膨張するシートから情報を読み出す装置が実行する情報読み出し方法であって、
前記シートは、吸収した熱量に応じて膨張してなる厚さ方向に突出する少なくとも１つの凸部を備え、
前記少なくとも１つの凸部は、前記シートの種別に固有の第１情報を含む被特定情報に対応する情報特定要素を構成し、
読み取り装置により読み取られた前記情報特定要素を取得する工程と、
前記情報特定要素と前記被特定情報との対応関係情報を取得する工程と、
前記取得した対応関係情報に基づいて、前記取得した前記情報特定要素から、該情報特定要素に対応する前記被特定情報を決定する工程と、
を含むことを特徴とする情報読み出し方法。
【請求項１４】
規定の温度以上に加熱されることによって膨張するシートからの情報の読み出しをコンピュータに実行させるプログラムであって、
前記シートは、吸収した熱量に応じて膨張してなる厚さ方向に突出する少なくとも１つの凸部を備え、
前記少なくとも１つの凸部は、前記シートの種別に固有の第１情報を含む被特定情報に対応する情報特定要素を構成し、
読み取り装置により読み取られた前記情報特定要素を取得する処理と、
前記情報特定要素と前記被特定情報との対応関係情報を取得する処理と、
前記取得した対応関係情報に基づいて、前記取得した前記情報特定要素から、該情報特定要素に対応する前記被特定情報を決定する処理と、
を前記コンピュータに実行させることを特徴とするプログラム。